(57)【要約】【課題】容易に着脱可能であるとともに連結状態を確実に保持して正確な印字面位置を確保すること。【解決手段】易着脱式印判１は、印字体９を有する下端面１１が同一面となるように複数の印判本体部１０をＸ方向に連結してなる。各印判本体部１０の背面１２には連結用凹部２１が形成され、正面１３には連結用凸部２２が形成され、これらを互いに嵌合することで各印判本体部１０は位置決め固定される。また、各印判本体部１０は、連結時にその連結状態を保持する磁石２０を収容空間２４内に備える。【選択図】図４
2007331221.tif 000002
【特許請求の範囲】
【請求項１】
一端面に印字体を有する印判本体部を前記一端面と直交する一側面を介してそれぞれ着脱自在に連結してなる易着脱式印判であって、
前記一側面に形成された凹部と、当該一側面と連結方向に反対側の他側面に形成された前記凹部と嵌合する凸部とを有してなり、複数の前記印判本体部を前記一端面が同一面となるように位置決め固定するための位置決め機構と、
複数の前記印判本体部にそれぞれ配されるとともに、前記印判本体部同士の連結時に前記連結方向に沿って直線状に互いに引き合う状態で配置される磁石からなる本体吸着部とを備えた
ことを特徴とする易着脱式印判。
【請求項２】
複数の前記印判本体部は、前記一側面及び前記他端面のいずれか一方と前記連結方向と平行な側面とにわたって形成された人体の指先を引っ掛けるための凹状の引掛け部を有することを特徴とする請求項１記載の易着脱式印判。
【請求項３】
前記本体吸着部は、前記印判本体部の所定位置に形成された空間内に前記磁石を移動自在に収容してなることを特徴とする請求項１又は２記載の易着脱式印判。
【発明の詳細な説明】
【技術分野】
【０００１】
本発明は、一端に印字体をそれぞれ有する複数の印判本体部を着脱自在に容易に組み合わせてなる易着脱式印判に関する。
【背景技術】
【０００２】
従来より、一端に印字体をそれぞれ有する複数の印判本体部を用意して、これら印判本体部同士を連結可能とした下記特許文献１に開示されている連結式印判が知られている。そして、これらの印判本体部同士を連結するための連結方式としては、例えば印判本体部の側面にそれぞれ設けられた凹部と凸部とを嵌合して連結することが一般的におこなわれている。このような従来の連結式印判は、例えば次のように構成されている。
【０００３】
すなわち、従来の連結式印判は、下端に印字体を備え、かつ側面に連結用凸部を設けるとともに反対の側面に連結用凹部を設けてなる単位印判を複数連結してなる連結式印判である。そして、それぞれ高さの異なる調節溝を複数設けたスライド部材を単位印判の一方の側面にスライド可能に保持させるとともに調節溝と係合する係止部を単位印判の他方の側面に設けている。これにより、スライド部材を任意位置にスライドさせた後に複数の単位印判を連結すると、調節溝が係止部にて係止され単位印判間の上下位置を微調整でき、各単位印判の印字面位置をフラットに揃えて良好な印影を得ることができる構成とされている。
【０００４】
【特許文献１】特開２００４−３２２５７４号公報
【発明の開示】
【発明が解決しようとする課題】
【０００５】
しかしながら、上述した特許文献１に開示されている従来の連結式印判では、印字面位置を揃えるために、一旦連結した各単位印判の連結を解除してからスライド部材をスライドさせて各単位印判の高さを調整し、再度各単位印判同士を連結する必要がある。このため、印字面位置調整の作業が繁雑となり、利便性の向上を図りにくいという問題があった。
【０００６】
また、上述した従来の連結式印判では、印字面位置の調整をするために、スライド部材、調整溝及び係止部などの印字面位置調整に関する各構成部をそれぞれの単位印判に設ける必要がある。このため、連結式印判自体の構造が複雑となるとともに、製造コストの削減を図りにくいという問題があった。
【０００７】
さらに、上述した従来の連結式印判では、各単位印判同士の連結状態を連結用凸部及び連結用凹部の係合によって保持している。このため、これら連結用凸部及び連結用凹部が摩擦などで磨り減って変形した場合などに、各単位印判同士の連結状態を保持できなくなり、意図せずに外れやすくなってしまうという問題があった。
【０００８】
本発明は、上述した従来技術による問題点を解消するため、容易に着脱可能であるとともに連結状態を確実に保持して正確な印字面位置を確保することができる易着脱式印判を提供することを目的とする。
【課題を解決するための手段】
【０００９】
上述した課題を解決し、目的を達成するため、本発明に係る易着脱式印判は、一端面に印字体を有する印判本体部を前記一端面と直交する一側面を介してそれぞれ着脱自在に連結してなる易着脱式印判であって、前記一側面に形成された凹部と、当該一側面と連結方向に反対側の他側面に形成された前記凹部と嵌合する凸部とを有してなり、複数の前記印判本体部を前記一端面が同一面となるように位置決め固定するための位置決め機構と、複数の前記印判本体部にそれぞれ配されるとともに、前記印判本体部同士の連結時に前記連結方向に沿って直線状に互いに引き合う状態で配置される磁石からなる本体吸着部とを備えたことを特徴とする。
【００１０】
また、印判本体部は、一側面及び他側面のいずれか一方と連結方向と平行な側面とにわたって形成された人体の指先を引っ掛けるための凹状の引掛け部を有する。また、本体吸着部は、印判本体部の所定位置に形成された空間内に磁石を移動自在に収容してなる。
【発明の効果】
【００１１】
本発明に係る易着脱式印判によれば、一端面に印字体を有する複数の印判本体部が、一側面に形成された凹部と、他側面に形成された凸部とを互いに嵌合してなる位置決め機構によって位置決め固定されて連結され、連結時に直線状に互いに引き合う状態で配置される磁石からなる本体吸着部によって凹部及び凸部の嵌合状態を保持したまま連結される。このため、各印字本体部が容易に着脱可能であるとともに連結時には連結状態を確実に保持することができる。これにより、あらかじめ印判本体部の一端面に設けられる印字体の配設位置を、連結時に一端面が同一面となるように調整をしておけば、簡単な着脱のみで正確な印字面位置を確保することができる印判を構成することが可能となる。
【発明を実施するための最良の形態】
【００１２】
以下に、添付の図面を参照して、本発明に係る易着脱式印判の好適な実施の形態を説明する。
【００１３】
図１は、本発明の一実施形態に係る易着脱式印判を構成する印判本体部の一例を示す分解斜視図である。また、図２は、同易着脱式印判を構成する印判本体部の正面図である。また、図３は、同易着脱式印判を構成する印判本体部の背面図である。また、図４は、同易着脱式印判を示す側面図である。また、図５は、同易着脱式印判を示す断面図である。さらに、図６は、同易着脱式印判を示す他の断面図である。
【００１４】
図１〜図６に示すように、本実施形態の易着脱式印判１（図４〜図６参照、以下同じ）は、複数の印判本体部１０を連結方向である図１及び図４〜図６中矢印Ｘで示す方向（以下、「Ｘ方向」と呼ぶ。）にそれぞれ連結した構造からなる。各印判本体部１０には、一端面である下端面１１に、図示しない文字、図形あるいは絵柄などが形成され、紙などの被印字体にこれらを転写する印字面（図示せず）を有する印字体９がそれぞれ備えられている。
【００１５】
各印判本体部１０の印字体９は、例えば多孔性ゴムなどからなり、下端面１１に対して両面テープのような接着剤を介して貼着されている。なお、これら印字体９は、接着剤を介さずに下端面１１に取り付けられ、印判本体部１０に対して着脱自在に備えられていても良い。
【００１６】
また、各印判本体部１０は、下端面１１と交差するとともにＸ方向と交差する一側面である背面１２に複数形成された連結用凹部２１と、この背面１２とＸ方向に反対側の他側面である正面１３に形成され、連結用凹部２１とそれぞれ嵌合する連結用凸部２２とを有する。これら連結用凹部２１及び連結用凸部２２は、連結時に各印判本体部１０をそれぞれの下端面１１が同一面となるように（すなわち、各下端面１１が同一面を構成するように）位置決め固定する位置決め機構を構成する。
【００１７】
易着脱式印判１は、各印判本体部１０の連結時にその連結状態を保持するための磁石２０からなる本体吸着部を備えている。この磁石２０は、各印判本体部１０にそれぞれ配されるとともに、連結時にＸ方向に沿って直線状に互いに引き合う状態で配置されている。磁石２０は、具体的には、例えば印判本体部１０の正面１３からＸ方向に凹むように形成された封止板収容部２３の底面における面方向中央部付近において、さらにＸ方向に凹むように形成された収容空間２４に収容されている。
【００１８】
収容空間２４は、磁石２０の外形とほぼぴったりと一致する形状で形成され、磁石２０を収容したうえで封止板収容部２３に嵌め込まれた封止板２５によって印判本体部１０に封止される。なお、封止板２５は、例えばその表面に印判本体部１０連結時の衝撃を和らげるための衝撃吸収効果を有する材質のものからなると良い。また、封止板２５は、各印判本体部１０に対して、封止板収容部２３に嵌め込まれるとともに両面テープなどの接着剤を介して取り付けられていても良い。
【００１９】
各印判本体部１０は、例えば連結用凸部２２の形成位置付近に、Ｘ方向と平行な側面１４と正面１３とにわたって形成された人体の指先などを引っ掛けるための引掛け部１９をそれぞれ有する。これら引掛け部１９は、各印判本体部１０の離脱時に指先などを引っ掛けて各印判本体部１０を引き離す際に用いられる。なお、図示は省略するが、磁石２０は、その外形よりも大きく形成された収容空間２４内に収容されることにより、非連結時に印判本体部１０において移動自在となるように設けられていても良い。
【００２０】
このように構成された易着脱式印判１によれば、それぞれ背面１２に形成された連結用凹部２１と、正面１３に形成された連結用凸部２２とを互いに嵌合して各印判本体部１０を連結することにより、各印判本体部１０が位置決め固定されて連結される。このとき、各印判本体部１０は、連結時に直線状に互いに引き合う状態で配置される磁石２０によって連結用凹部２１及び連結用凸部２２の嵌合状態を保持したまま連結される。また、各印判本体部１０の離脱時には、引掛け部１９に指先などを引っ掛けて容易に各印判本体部１０を引き離すことができる。
【００２１】
このため、この易着脱式印判１では、各印判本体部１０が容易に着脱可能であるとともに連結時には連結状態を確実に保持することができる構造を実現する。これにより、あらかじめ各印判本体部１０の下端面１１に設けられた印字体９の配設位置を、連結時に各下端面１１が同一面となるように調整をしておけば、簡単な着脱作業のみで正確な印字面位置を確保することが可能となる。
【００２２】
図７は、本発明の一実施形態に係る他の易着脱式印判を構成する印判本体部の一例を示す分解斜視図である。また、図８は、同易着脱式印判を構成する印判本体部の背面図である。さらに、図９は、同易着脱式印判を示す断面図である。なお、以降において、既に説明した部分と重複する箇所には同一の符号を附して説明を省略する。
【００２３】
図７〜図９に示すように、この易着脱式印判１Ａは、各印判本体部１０Ａが、背面１２及び正面１３側にそれぞれ封止板収容部２３を有し、これら封止板収容部２３を貫通するように収容空間２４が形成され、磁石２０が収容空間２４に収容されたうえで各封止板収容部２３に嵌め込まれた封止板２５によって封止されている点が、先の例の易着脱式印判１とは相違している。その他の点については、先の例の易着脱式印判１と同様であるため、ここでは説明を省略する。このように易着脱式印判１Ａを構成しても、上記易着脱式印判１と同様の作用や効果を有する。
【００２４】
以上述べたように、本実施形態の易着脱式印判１，１Ａによれば、連結用凹部２１及び連結用凸部２２と、磁石２０とによって、各印判本体部１０，１０Ａを着脱自在に連結することにより、各印判本体部１０，１０Ａをそれぞれ容易に着脱することができるとともに連結時には連結状態を確実に保持することができる構造を実現することができる。これにより、あらかじめ各印判本体部１０，１０Ａの下端面１１に設けられた印字体９の配設位置を、連結時に各下端面１１が同一面となるように調整をしておけば、簡単な着脱作業のみで正確な印字面位置を確保することが可能となる。
【図面の簡単な説明】
【００２５】
【図１】本発明の一実施形態に係る易着脱式印判を構成する印判本体部の一例を示す分解斜視図である。
【図２】同易着脱式印判を構成する印判本体部の正面図である。
【図３】同易着脱式印判を構成する印判本体部の背面図である。
【図４】同易着脱式印判を示す側面図である。
【図５】同易着脱式印判を示す断面図である。
【図６】同易着脱式印判を示す他の断面図である。
【図７】本発明の一実施形態に係る他の易着脱式印判を構成する印判本体部の一例を示す分解斜視図である。
【図８】同易着脱式印判を構成する印判本体部の背面図である。
【図９】同易着脱式印判を示す断面図である。
【符号の説明】
【００２６】
１，１Ａ…易着脱式印判、９…印字体、１０，１０Ａ…印判本体部、１１…下端面、１２…背面、１３…正面、１４…側面、１９…引掛け部、２０…磁石、２１…連結用凹部、２２…連結用凸部、２３…封止板収容部、２４…収容空間、２５…封止板。
【図１】
2007331221.tif 000003
【図２】
2007331221.tif 000004
【図３】
2007331221.tif 000005
【図４】
2007331221.tif 000006
【図５】
2007331221.tif 000007
【図６】
2007331221.tif 000008
【図７】
2007331221.tif 000009
【図８】
2007331221.tif 000010
【図９】
2007331221.tif 000011